Podtech/llm-jp-corpus-v4-ja_patent huggingface dataset:
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
Ｓｒ及びＳｉＯ２を具え、前記ＳｒはＳｒＯとして提供され、ＳｒＯのモル比は０．２〜４５％であることを特徴とするアルミニウムフリーの生物活性ガラス。
【請求項２】
Ｎａ、Ｋ、Ｃａ、Ｐ２Ｏ５、Ｍｇ、Ｚｎ、Ｂ２Ｏ３、Ｆ又はＡｇの１又はそれ以上の供給源を更に具え、好ましくは、前記Ｆは、ＣａＦ２、ＳｒＦ２、ＭｇＦ２、ＮａＦ又はＫＦの１又はそれ以上として提供され、ＣａＦ２、ＳｒＦ２、ＭｇＦ２、ＮａＦ及びＫＦの混合モル比は、０〜５０％であることを特徴とする請求項１に記載の生物活性ガラス。
【請求項３】
０〜３０％の混合モル比のＮａイオンの供給源及び／又はＫイオンの供給源；
０〜５０％のモル比のＣａＯ；
０〜１４％のモル比のＰ２Ｏ５；
０〜４０％のモル比のＭｇＯ；
０〜１０％のモル比のＺｎＯ；
０〜１５％のモル比のＢ２Ｏ３；
の１又はそれ以上を具えることを特徴とする請求項２に記載の生物活性ガラス。
【請求項４】
前記ガラスは、
（ａ）約４６〜５０％のＳｉＯ２、約０．５％〜１．５％のＰ２Ｏ５、約０〜２％のＢ２Ｏ３、約０〜２３％のＣａＯ、約０．５〜２４％のＳｒＯ、約６％〜２７％のＮａ２Ｏ、約０〜１３％のＫ２Ｏ、約０〜２％のＺｎＯ、約０〜２％のＭｇＯ、約０〜７％のＣａＦ２；又は、
（ｂ）約４９％〜５０％のＳｉＯ２、約０．５％〜１．５％のＰ２Ｏ５、約８％〜３０％のＣａＯ、約８％〜１７％のＳｒＯ、約３〜７％のＮａ２Ｏ、約３〜７％のＫ２Ｏ、約３％のＺｎＯ、約７〜１６％のＭｇＯ、約０〜６％のＣａＦ２；
を具えることを特徴とする請求項３に記載の生物活性グラス。
【請求項５】
前記生物活性ガラスは、
（ａ）ＳｉＯ２のモル比が３０〜６０％であり、好ましくはＳｉＯ２、Ｐ２Ｏ５及びＢ２Ｏ３の前記混合モル比が６０％を超えず、及び／又は、ＳｒＯ、ＣａＯ、ＭｇＯ、Ｎａ２Ｏ及びＫ２Ｏの前記混合モル比が、４０〜６０％である溶融法で作製した生物活性ガラス；
（ｂ）ＳｉＯ２の前記モル比が５０〜９５％であるゾルゲル法で作製された生物活性ガラス；
を具えることを特徴とする請求項１〜４のいずれか一項に記載の生物活性ガラス。
【請求項６】
前記生物活性ガラスが、特定の形状であるか、繊維として提供されるか、あるいは、ディスク又はモノリスなどの固体を具えることを特徴とする請求項１〜５に記載の生物活性ガラス。
【請求項７】
Ｓｒ及びＳｉＯ２、及び、選択的にＮａ、Ｋ、Ｃａ、Ｐ２Ｏ５、Ｍｇ、Ｚｎ、Ｂ２Ｏ３、Ｆ又はＡｇの１又はそれ以上を混合するステップを具えることを特徴とする請求項１〜６のいずれか一項に記載の生物活性ガラスの製造プロセス。
【請求項８】
例えば、骨又は歯の組織などの組織の損傷の予防及び／又は治療に使用され、好ましくは当該予防及び／又は治療が、骨の代替物で用いるために、骨の自家移植体の伸長に用いるために、又は歯周病、歯のキャビティ、脱塩化した歯、歯の知覚過敏、椎骨形成法、骨折の予防及び／又は治療のために、ヒドロキシカルボネートアパタイト析出の速度を増加させるステップを具えることを特徴とする請求項１〜６のいずれか一項に記載の生物活性ガラス。
【請求項９】
請求項１〜６のいずれか一項に記載の生物活性ガラスを具えることを特徴とするインプラントコーティング。
【請求項１０】
前記コーティングが２又はそれ以上の層を具え、少なくとも１層が請求項１〜６のいずれか一項に記載の生物活性ガラスを具えることを特徴とする請求項９に記載のコーティング。
【請求項１１】
請求項９又は１０に記載のコーティングでコーティングすることを特徴とするインプラント。
【請求項１２】
関節置換手術に使用されることを特徴とする請求項１１に記載のインプラント。
【請求項１３】
請求項１〜６のいずれか一項に記載の生物活性ガラスを具えることを特徴とする組成物。
【請求項１４】
組織損傷の予防及び／又は治療に使用されることを特徴とする請求項１３に記載の組成物。
【請求項１５】
前記組成物が骨セメント、歯の複合体、分解性ポリマ、生物活性多孔性足場（例えば、組織工学で使用する）、練り歯磨き、デオドラント、骨代替物、粉末、生物活性ガラス充填アクリル系、生物活性ガラス充填ポリ乳酸、生物活性ガラス充填Ｂｉｓ  ＧＭＡ又は歯の複合体、生物活性ガラス顆粒又は焼成生物活性ガラス又はインプラントコーティングであることを特徴とする請求項１３又は１４に記載の組成物。
【請求項１６】
組織損傷の予防方法及び／又は治療を必要としている患者に、請求項１〜６のいずれか一項に記載の生物活性ガラスを投与するステップを具えることを特徴とする組織損傷の予防方法及び／又は治療方法。
【請求項１７】
前記組織が、骨又は歯の組織を具えることを特徴とする請求項１６に記載の方法。
【請求項１８】
前記生物活性ガラスの投与が、非経口、経口、又は、局所的であることを特徴とする請求項１６又は１７に記載の方法。
【請求項１９】
骨折、虫歯、歯周病、知覚過敏、脱塩化した歯の治療用であることを特徴とする請求項１６〜１８のいずれか一項に記載の方法。
【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
ガラス、セラミック又はガラス−セラミックの基材を、実質的に大気圧のプラズマを発生する装置由来の励起ガスと少なくとも一種のフルオロ化合物を含有するガスの混合物と接触させることによって、前記基材上に疎水性コーティングを合成するための方法であって、１〜１００ｎｍの厚さを有する副層が最初に前記基材上に堆積されることを特徴とする、方法。
【請求項２】
前記副層が、金属の酸化物、窒化物、炭化物、オキシ炭化物及びオキシ窒化物からなる群より選択される少なくとも一種の無機化合物から構成される、請求項１に記載の方法。
【請求項３】
前記副層が、ＳｉＯ2、Ａｌ2Ｏ3、Ｇａ2Ｏ3、ＳｎＯ2、ＴｉＯ2、Ｔａ2Ｏ5、Ｃｒ2Ｏ3、ＺｒＯ2、Ｎｂ2Ｏ5、Ｉｎ2Ｏ3、Ｆｅ2Ｏ3、ＣｏＯ3、Ｖ2Ｏ5、Ｙ2Ｏ3、ＴｉＮ、ＳｉＯx（式中、ｘは２より小さい）、ＳｉＯpＣq及びＳｉＯpＮq（式中、ｐは１〜２であり、ｑは０〜１である）からなる群より選択される無機化合物を単独で又は組み合わせて構成される、請求項２に記載の方法。
【請求項４】
前記無機化合物が、それを電子伝導性及び／又はイオン伝導性にするため、その耐加水分解性を改善するため又はその光学特性を変更するためにドープされる、請求項２又は３に記載の方法。
【請求項５】
前記副層が、実質的に大気圧のプラズマを発生する装置によって堆積される、請求項１〜４のいずれか１項に記載の方法。
【請求項６】
前記副層が、マグネトロンスパッタリング、低圧の熱ＣＶＤ若しくはプラズマＣＶＤ、又はゾル−ゲル法によって堆積される、請求項１〜４のいずれか１項に記載の方法。
【請求項７】
前記フルオロ化合物が、以下の式、すなわち、
【化１】
2009539754.tif 000001
（式中、ＭはＳｉ、Ｔｉ、Ａｌ、Ｇｅ、Ｚｒ及びＳｎからなる群より選択される元素であり、Ｒ1〜Ｒ6は水素を表すか又は少なくとも１つの炭素原子を含む基を表し、基Ｒ1〜Ｒ6のうち少なくとも１つはフッ素を含む）のフッ素化有機金属化合物である、請求項１〜６のいずれか１項に記載の方法。
【請求項８】
前記フルオロ化合物が、以下の式、すなわち、
Ｒ−Ａ−Ｚ−［ＳｉＸ2Ｏ］n−Ｓｉ（Ｘ3-p）（Ｒ’p）
（式中、Ｒはフルオロカーボンに基づく鎖であり、Ａはエーテル−Ｏ−基又はチオエーテル−Ｓ−基を間に含むことができるフルオロカーボンに基づく鎖であり、Ｚはフルオロ鎖とシランの間の架橋基であり、Ｘはハロゲンであるか又はアルコキシ基であり、Ｒ’はアルキル基又は水素原子であり、ｎは０〜５であり、ｐは０〜３である）のフルオロシランである、請求項１〜６のいずれか１項に記載の方法。
【請求項９】
前記フルオロ化合物が、以下の式、すなわち、
Ｆ3Ｃ−（ＣＦ2）m−（ＣＨ2）n−Ｓｉ（Ｘ3-p）（Ｒ’p）            （ＩＩ）
（式中、
ｍ＝０〜１５であり、
ｎ＝１〜５であり、
ｐ＝０、１又は２であり、
Ｒ’はアルキル基又は水素原子であり、
Ｘは加水分解性基又はアルコキシ基である）
のペルフルオロアルキルシランである、請求項８に記載の方法。
【請求項１０】
前記フルオロ化合物が、式ＣnＦ2n+2に対応する飽和型、式ＣnＦ2nに対応する不飽和型、又は式ＣnＦ2nＯに対応するフルオロエーテル型のＣ、Ｈ及びＦのみを含むフルオロカーボンに基づく前駆物質であり、式中、ｎが１〜２０の整数である、請求項１〜６のいずれか１項に記載の方法。
【請求項１１】
前記ガスが、請求項７〜１０のいずれか１項に記載の少なくとも一種のフルオロ化合物と、有機金属化合物、有機シリカ、並びにＳｉ、Ａｌ、Ｔｉ、Ｓｎ及びＺｒからなる群より選択される元素のハロゲン化物から選択される少なくとも一種の前駆物質との混合物を含有する、請求項１〜１０のいずれか１項に記載の方法。
【請求項１２】
ガラス、セラミック又はガラス−セラミックの材料から構成される外表面が、請求項１〜１１のいずれか１項に記載の方法によって得ることができる疎水性／疎油性コーティングを少なくとも部分的に備えた、製品。
【請求項１３】
モノリシックグレイジング、積層グレイジング又は複層グレイジングからなる、請求項１２に記載の製品。
【請求項１４】
輸送車両又は建物のためのグレイジングとしての、請求項１２又は１３に記載の製品の適用。
【請求項１５】
ガラス−セラミックの天板又はオーブンのドアとしての、請求項１２又は１３に記載の製品の適用。
【請求項１６】
街路備品の部材、家具の部材、又はスクリーンとしての、請求項１２又は１３に記載の製品の適用。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
物品を追跡する方法において、
物品追跡装置がビーコン装置の既定のレンジ内に存在する際に、前記物品追跡装置と前記ビーコン装置との間の関連付けを反映した第１関連付けデータをメモリ内に保存する段階であって、前記物品追跡装置は、第１物品に対応し、且つ、前記ビーコン装置は、前記第１物品を含む複数の物品を包含するエリアに対応する、データ保存段階と、
前記ビーコン装置の環境に関するセンサデータを検出する段階と、
前記ビーコン装置の既定のレンジ内に存在する前記複数の物品内の物品のグループと前記センサデータを関連付ける段階と、
前記関連付けされたセンサデータを、前記ビーコン装置からデータベースに定期的に伝送する段階と、を有する方法。
【請求項２】
前記物品追跡装置が別のビーコン装置の既定のレンジ内に存在する場合に、前記物品追跡装置を前記別のビーコン装置と関連付ける段階を更に有する請求項１記載の方法。
【請求項３】
前記センサデータは、場所情報、温度情報、湿度情報、光源レベル情報、圧力情報、写真情報、及びビデオ情報の中の少なくとも１つのものを含む請求項１記載の方法。
【請求項４】
前記伝送されたセンサデータは、アラームをトリガする請求項１記載の方法。
【請求項５】
前記アラームをトリガする段階は、既定の条件に応答して通知を追跡センタに送信する段階を有する請求項４記載の方法。
【請求項６】
前記アラームをトリガする段階は、既定の条件に応答して通知をユーザー追跡装置に送信する段階を有する請求項４記載の方法。
【請求項７】
前記伝送されたセンサデータは、前記物品追跡装置及び前記ビーコン装置の少なくとも１つのためにプログラミングの変更をトリガする請求項１記載の方法。
【請求項８】
物品追跡番号を前記物品追跡装置と関連付ける段階を更に有する請求項１記載の方法。
【請求項９】
前記複数の物品を含む前記エリアは、前記複数の物品を配送するべく使用される車両である請求項１記載の方法。
【請求項１０】
前記複数の物品を含む前記エリアは、前記複数の物品を保存するべく使用される保管施設である請求項１記載の方法。
【請求項１１】
前記複数の物品を含む前記エリアは、前記複数の物品を保持するべく使用されるコンテナである請求項１記載の方法。
【請求項１２】
前記物品追跡装置がユーザー追跡装置の既定のレンジ内に存在する際に、前記物品追跡装置と前記ユーザー追跡装置との間の関連付けを反映した第２関連付けデータを保存する段階であって、前記ユーザー追跡装置は、前記第１物品を配送する責任を担う配達担当者に対応する、データ保存段階を更に有する請求項１記載の方法。
【請求項１３】
前記物品追跡装置が前記既定のレンジ外に存在する際に、前記ビーコン装置から前記物品追跡装置との関連付けを解除する段階と、
前記関連付けの解除を反映させるように、前記メモリを更新する段階と、を更に有する請求項１記載の方法。
【請求項１４】
前記センサデータは、前記物品追跡装置から前記データベースに直接伝送される請求項１記載の方法。
【請求項１５】
物品を追跡するシステムにおいて、
追跡対象の物品に対応する少なくとも１つの物品追跡装置と、
前記追跡対象の物品を含む複数の物品を包含するエリアに対応する少なくとも１つのビーコン装置であって、
前記ビーコン装置の環境データに関するセンサデータを検出するセンサと、
前記少なくとも１つの物品追跡装置および前記少なくとも１つのビーコン装置の間の関連を反映した第１の関連データを保存するメモリと、
前記ビーコン装置の既定のレンジ内に存在する前記複数の物品内の物品のグループと前記センサデータを関連付けするプロセッサと、を含む前記ビーコン装置と、
前記関連付けされたセンサデータを、前記少なくとも１つのビーコン装置から定期的に受信する動作可能な追跡センタと、を有するシステム。
【請求項１６】
前記少なくとも１つの物品追跡装置が別のビーコン装置の既定のレンジ内に存在する場合に、前記少なくとも１つの物品追跡装置は、前記別のビーコン装置と関連付けられる請求項１５記載のシステム。
【請求項１７】
前記センサデータは、場所情報、温度情報、湿度情報、光源レベル情報、圧力情報、写真情報、及びビデオ情報の中の少なくとも１つのものを含む請求項１５記載のシステム。
【請求項１８】
前記受信されたセンサデータは、アラームをトリガする請求項１５記載のシステム。
【請求項１９】
前記アラームをトリガする段階は、既定の条件に応答して通知を追跡センタに送信する段階を有する請求項１８記載のシステム。
【請求項２０】
前記アラームをトリガする段階は、既定の条件に応答して通知をユーザー追跡装置に送信する段階を有する請求項１８記載のシステム。
【請求項２１】
前記複数の物品を含む前記エリアは、前記複数の物品を配送するべく使用される車両である請求項１５記載のシステム。
【請求項２２】
前記複数の物品を含む前記エリアは、前記複数の物品を保存するべく使用される保管施設である請求項１５記載のシステム。
【請求項２３】
前記複数の物品を含む前記エリアは、前記複数の物品を保持するべく使用されるコンテナである請求項１５記載のシステム。
【請求項２４】
前記追跡対象の物品を配送する責任を担う配達担当者に対応するユーザー追跡装置であって、前記少なくとも１つの物品追跡装置が前記ユーザー追跡装置の既定のレンジ内にある際に、前記少なくとも１つの物品追跡装置と前記ユーザー追跡装置との間の関連付けを反映した第２関連付けデータを保存するユーザー追跡装置、を更に有する請求項１５記載のシステム。
【請求項２５】
プロセッサに物品を追跡する方法を実行させる際に、前記プロセッサによって実行される命令を含むコンピュータ可読媒体において、前記追跡方法は、
物品追跡装置がビーコン装置の既定のレンジ内に存在する際に、前記物品追跡装置と前記ビーコン装置との間の関連付けを反映した第１関連付けデータをメモリ内に保存する段階であって、前記物品追跡装置は、第１物品に対応し、且つ、前記ビーコン装置は、前記第１物品を含む複数の物品を包含するエリアに対応する、データ保存段階と、
前記ビーコン装置の環境に関するセンサデータを検出する段階と、
前記ビーコン装置の既定のエリア内に存在する前記複数の物品内の物品のグループと前記センサデータを関連付ける段階と、
前記関連付けされたセンサデータを、前記ビーコン装置からデータベースに定期的に伝送する段階と、を有するコンピュータ可読媒体。
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
ごみフラップと、
前記フラップの下面側に配置されるモータと、
前記フラップの上面側に近接して配置される作動装置と、
を含んで構成される自動ごみ容器において、前記モータを作動させることにより前記フラップが開閉位置間で回動するように、前記作動装置が構成される自動ごみ容器。
【請求項２】
前記フラップは、隣接するごみ容器表面に蝶番で連結される請求項１記載の自動ごみ容器。
【請求項３】
前記隣接ごみ容器表面に配置され、かつ、前記モータに連結される、固定具を更に含む、請求項２記載の自動ごみ容器。
【請求項４】
前記固定具は、ケーブルを介して前記モータと連結される、請求項3記載の自動ごみ容器。
【請求項５】
前記モータは、前記ケーブルを巻き取ることにより前記固定具の方へ前記フラップを引き寄せるように構成される、請求項４記載の自動ごみ容器。
【請求項６】
前記作動装置は、赤外線検出器である、請求項１〜請求項５のいずれか１つに記載の自動ごみ容器。
【請求項７】
前記作動装置は、前記フラップの上面側に配置される、請求項６記載の自動ごみ容器。
【請求項８】
前記作動装置は、前記フラップの上面側に近接して配置される、請求項６記載の自動ごみ容器。
【請求項９】
ごみ室への開口部を有する筐体と、
前記筐体に取り付けられて、閉止位置において前記開口部を覆うとともに、開位置において前記開口部を露出させるごみフラップと、
モータと、
前記モータを前記フラップに連結する手段と、
前記フラップの一側上に配設され、前記モータにデータを提供することにより、ごみが、ごみ室に入れられたと判断されたときに、ごみフラップが、開位置から閉止位置へ回動される検出器と、
を含んで構成される自動ごみ容器。
【請求項１０】
前記ごみフラップは、閉止位置において、前記筐体のうち隣接する表面と面一であり、前記ごみフラップは、隣接する表面に、蝶番で動くように取り付けられる、請求項９に記載の自動ごみ容器。
【請求項１１】
前記連結する手段は、前記隣接する表面上に配置され、前記モータに連結された固定点を含む、請求項１０に記載の自動ごみ容器。
【請求項１２】
前記固定点は、ケーブルを介して前記モータに連結され、第２の筐体は、前記モータを収容する、請求項１１に記載の自動ごみ容器。
【請求項１３】
前記モータは、前記ケーブルを巻き付けて、前記フラップを前記固定点の方向へ引き寄せるように構成される、請求項１２に記載の自動ごみ容器。
【請求項１４】
前記検出器は、前記フラップの上面に配置される、請求項９〜請求項１３のいずれか１つに記載の自動ごみ容器。
【請求項１５】
前記モータは、前記フラップの一側で第２の筐体内に取り付けられて、リンケージを通して前記フラップに連結される、請求項９に記載の自動ごみ容器。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
コンベヤにおいて、
上流端部から下流端部へ運搬方向に縦に、及び第１の側縁部から第２の側縁部までの幅で横に延在する運搬路と；
前記運搬路に沿って前記運搬方向に進むとともに、外側の運搬面を形成する少なくとも１のコンベヤベルトであって、当該コンベヤベルトは、前記コンベヤベルトの厚さを通って上方へ延在し、前記運搬路に沿って運搬物品と支持接触するローラを具え、
前記外側の運搬面は、前記第１の側縁部に近い第１の領域と、前記第２の側縁部に近い横にオフセットされた第２の領域とを具える少なくとも２つの領域に分けられ、前記第１の領域におけるローラは、第１の方向に回転するように方向付けられ、前記第２の領域におけるローラは、第２の方向に回転するように方向付けられているコンベヤベルトと；
前記第１の領域における前記ローラを第１の速度で、前記第２の領域における前記ローラを第２の速度で回転させるローラ制御手段であって、前記運搬方向における第１の速度の成分が前記運搬方向における第２の速度の成分と異なるローラ制御手段と；
を具えることを特徴とするコンベヤ。
【請求項２】
請求項１に記載のコンベヤにおいて、前記第１の領域が前記第１の側縁部へ横に延在し、前記第２の領域が前記第２の側縁部へ横に延在することを特徴とするコンベヤ。
【請求項３】
請求項１に記載のコンベヤにおいて、前記第１の領域及び前記第２の領域が、横に隣接する第１及び第２のコンベヤベルトによって形成されることを特徴とするコンベヤ。
【請求項４】
請求項３に記載のコンベヤにおいて、前記ローラ制御手段において：
前記運搬路に沿った支持面と；
前記運搬方向に第１の速度で前記第１のコンベヤベルトを進ませる第１の駆動装置と；
前記第１の速度よりも小さい第２の速度で前記運搬方向に前記第２のコンベヤベルトを進ませる第２の駆動装置と；
を具え、前記第１及び第２の領域における前記ローラが、前記コンベヤベルトが前記運搬方向に進むに伴い前記支持面上で回転するように前記コンベヤベルトの厚さを通って延在することを特徴とするコンベヤ。
【請求項５】
請求項１に記載のコンベヤにおいて、前記外側の運搬面が、前記第２の領域と前記コンベヤベルトの第２の側縁部の間に第３の領域を具え、当該第３の領域における前記ローラが、運搬物品を前記第２の側縁部へ向ける方向に回転自在であることを特徴とするコンベヤ。
【請求項６】
請求項５に記載のコンベヤにおいて、前記第３の領域における前記ローラが、前記運搬方向に配列された軸を中心に回転自在であることを特徴とするコンベヤ。
【請求項７】
請求項１に記載のコンベヤにおいて、前記第１の方向が前記運搬方向であり、前記第２の方向が前記運搬方向に対して傾斜していることを特徴とするコンベヤ。
【請求項８】
請求項１に記載のコンベヤにおいて、前記ローラ制御手段が、前記運搬路に沿った支持面を具え、前記第１及び第２の領域における前記ローラが、前記ベルトが前記運搬方向に進むに伴い前記支持面上で回転するように前記ベルトの厚さを通って延在することを特徴とするコンベヤ。
【請求項９】
請求項８に記載のコンベヤにおいて、前記支持面が、前記運搬路に沿った前記コンベヤベルトの下にあって、前記第１の領域における前記ローラと接触して前記運搬方向に進むベルトの外側面として形成されることを特徴とするコンベヤ。
【請求項１０】
請求項９に記載のコンベヤにおいて、前記コンベヤベルトの下にある前記ベルトが前記コンベヤベルトの速度よりも大きい速度で進むことを特徴とするコンベヤ。
【請求項１１】
請求項８に記載のコンベヤにおいて、前記ローラ制御手段がさらに、前記第２の領域における前記ローラと前記支持面の間のスリップよりも小さくなるように前記第１の領域における前記ローラと前記支持面の間のスリップを減らすべく、高摩擦材料で作られたトレッドを前記第１の領域における前記ローラの周辺に具えることを特徴とするコンベヤ。
【請求項１２】
請求項８に記載のコンベヤにおいて、前記ローラ制御手段が、前記第１の領域における前記ローラを前記運搬方向と反対の前記第２の速度成分で回転させることを特徴とするコンベヤ。
【請求項１３】
ベルトコンベヤ上に運搬される物品を回転させる方法において：
少なくとも１のコンベヤベルトを運搬方向に進ませるステップであって、前記コンベヤベルトが、前記コンベヤベルトの厚さを通って延在して第１の方向に回転するように配列された前記第１の領域における第１のローラと、前記コンベヤベルトの厚さを通って延在して第２の方向に回転するように配列された前記第２の領域における第２のローラとを具える横にオフセットされた第１及び第２の領域に分けられた上側運搬面を具えるステップと；
前記運搬方向における第１の速度成分で前記第１の方向に前記第１のローラを、及び前記運搬方向における異なる第２の速度成分で前記第２の方向に前記第２のローラを回転させるステップであって、同時に第１及び第２のローラ上の前記第１及び第２の領域における物品を前記上側運搬面で回転させるステップと；
を具えることを特徴とする方法。
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
約３．４％〜約６．８％の活性酸素含有率および約５．５％の最大ＳＯ４含有率を有する一過硫酸カリウムの溶液を含むことを特徴とする組成物。
【請求項２】
５．０％の最大ＳＯ4含有率を有することを特徴とする請求項１に記載の組成物。
【請求項３】
約０．４〜約１．５のｐＨを有することを特徴とする請求項２に記載の組成物。
【請求項４】
塩酸以外の鉱酸、Ｃ1〜Ｃ4の有機酸、界面活性剤、安定剤およびエッチング速度調整剤からなる群から選択される補助剤を更に含むことを特徴とする請求項１に記載の組成物。
【請求項５】
約３．４％〜約６．８％の活性酸素含有率および約５．５％の最大ＳＯ４含有率を有する一過硫酸カリウムの溶液を調製する方法であって、
ａ）ｉ）固体の２ＫＨＳＯ5・ＫＨＳＯ4・Ｋ2ＳＯ4、ｉｉ）前記固体を完全に溶解させるには不十分な量の水、およびｉｉｉ）アルカリ性材料を混合して平衡化されたスラリーを形成させる工程と、
ｂ）溶解しなかった固体を分離して溶液を得る工程と、
ｃ）酸を添加して約０．４〜約１．５のｐＨを得る工程と、
を含むことを特徴とする方法。
【請求項６】
前記固体の２ＫＨＳＯ5・ＫＨＳＯ4・Ｋ2ＳＯ4と水が混合された後に前記アルカリ性材料を添加し、前記アルカリ性材料が、水酸化ナトリウム、水酸化カリウム、水酸化バリウム、水酸化マグネシウム、炭酸ナトリウム、炭酸カリウム、炭酸水素ナトリウムまたは炭酸水素カリウムからなる群から選択されることを特徴とする請求項５に記載の方法。
【請求項７】
１００ｇの２ＫＨＳＯ5・ＫＨＳＯ4・Ｋ2ＳＯ4当たり約２５ｇ〜約７０ｇの水を用い、前記アルカリ性材料の添加中に、４０℃以下で温度を維持することを特徴とする請求項６に記載の方法。
【請求項８】
表面をマイクロエッチングする改良された方法であって、約３．４％〜約６．８％の活性酸素含有率および約５．５％の最大ＳＯ４含有率を有する一過硫酸カリウム溶液を含有するマイクロエッチング溶液にエッチングされるべき表面を接触させることが改良に含まれることを特徴とする方法。
【請求項９】
前記エッチングされるべき表面が、銅または銅合金で被覆されている金属被覆半導体または金属被覆プリント配線板であることを特徴とする請求項８に記載の方法。
【請求項１０】
前記溶液が溶液リットル当たり少なくとも２５ｇの銅の銅充填容量および約３．５％〜約６．８％の活性酸素含有率を有することを特徴とする請求項８に記載の方法。
【請求項１１】
基板を機械的に研磨する改良された方法であって、約３．４％〜約６．８％の活性酸素含有率および約５．５％の最大ＳＯ４含有率を有する一過硫酸カリウム溶液を含有する研磨用スラリーの使用が改良に含まれることを特徴とする方法。
【請求項１２】
レクリエーション用の水および観賞用の水を処理する改良された方法であって、約３．４％〜約６．８％の活性酸素含有率および約５．５％の最大ＳＯ４含有率を有する一過硫酸カリウム溶液の使用が改良に含まれることを特徴とする方法。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
香味料を製品に与えて、香味付けされた製品を形成する方法であって、大粒子シクロデキストリン包接複合体を製品中に取り入れて、香味付けされた製品を形成することを含み、前記複合体はシクロデキストリンによって封じ込められたゲストを含む、方法。
【請求項２】
大粒子シクロデキストリン複合体はサイズが約５００ミクロンを超える、請求項１に記載の方法。
【請求項３】
前記大粒子シクロデキストリン複合体はサイズが約８００ミクロンを超える、請求項１に記載の方法。
【請求項４】
前記ゲストは、香味料、嗅覚作用物、薬剤、機能性食品、及びこれらの組合せのうちの少なくとも１つを含む、請求項１に記載の方法。
【請求項５】
前記香味料は、アルデヒド、ケトン、アルコール、及びこれらの組合せのうちの少なくとも１つを含む、請求項４に記載の方法。
【請求項６】
前記嗅覚作用物は、天然芳香物質、合成芳香物質、合成精油、天然精油、及びこれらの組合せのうちの少なくとも１つを含む、請求項４に記載の方法。
【請求項７】
前記ゲストは、脂肪酸、ラクトン、テルペン、ジアセチル、硫化ジメチル、プロリン、フラネオール、リナロオール、アセチルプロピオニル、天然エッセンス、精油、及びこれらの組合せのうちの少なくとも１つを含む、請求項１に記載の方法。
【請求項８】
前記香味付けされた製品は、少なくとも１つの歯磨き剤、飲料、フレンチフライドポテト、ブレッディング、バッター、ピザクラスト、ピザドウ、及びピザソースを含む、請求項１に記載の方法。
【請求項９】
前記シクロデキストリンは、α−シクロデキストリン、β−シクロデキストリン、γ−シクロデキストリンのうちの少なくとも１つを含む、請求項１に記載の方法。
【請求項１０】
前記香味付けされた製品は非線形香味料送達を有する、請求項１に記載の方法。
【請求項１１】
前記香味付けされた製品は逐次香味料送達を有する、請求項１に記載の方法。
【請求項１２】
前記香味付けされた製品は可視香味料粒子を有する、請求項１に記載の方法。
【請求項１３】
前記香味付けされた製品は、約０．００１〜約５重量％の前記シクロデキストリン包接複合体を含む、請求項１に記載の方法。
【請求項１４】
シクロデキストリンによって封じ込められたゲストを含むシクロデキストリン包接複合体であって、該複合体はサイズが約４００ミクロンを超える、複合体。
【請求項１５】
ゲスト対シクロデキストリンの比は約０．２：１〜約２：１である、請求項１４に記載のシクロデキストリン包接複合体。
【請求項１６】
前記ゲスト対シクロデキストリンの比は約１：１である、請求項１４に記載のシクロデキストリン包接複合体。
【請求項１７】
請求項１４に記載のシクロデキストリン包接複合体を含む香味付けされた製品。
【請求項１８】
請求項１４に記載のシクロデキストリン包接複合体を含む歯磨き剤。
【請求項１９】
前記シクロデキストリン包接複合体は、ハッカ香味料、シナモン香味料及びりんご香味料からなる群から選択されるゲストを含む、請求項１８に記載の歯磨き剤。
【請求項２０】
請求項１４に記載のシクロデキストリン包接複合体を含む練り歯磨き。
【請求項２１】
請求項１４に記載のシクロデキストリン包接複合体を含むマウスリンス。
【請求項２２】
請求項１４に記載のシクロデキストリン包接複合体を含む茶製品。
【請求項２３】
前記シクロデキストリン包接複合体は、レモン香味料及びベルガモット香味料からなる群から選択されるゲストを含む、請求項２２に記載の茶製品。
【請求項２４】
請求項１４に記載のシクロデキストリン包接複合体を含むコーヒー製品。
【請求項２５】
前記シクロデキストリン包接複合体は、ココア香味料を含むゲストを含む、請求項２４に記載のコーヒー製品。
【請求項２６】
請求項１４に記載のシクロデキストリン複合体を含む甘味料。
【請求項２７】
大粒子シクロデキストリン包接複合体の製造方法であって：（ａ）シクロデキストリンを溶媒と混合して、第１の混合物を形成することと；（ｂ）ゲストを前記第１の混合物に加えて、第２の混合物を形成することと；（ｃ）硬化剤を前記第２の混合物に加えて、第３の混合物を形成することと；（ｄ）前記第３の混合物を乾燥して、大粒子シクロデキストリン包接複合体を形成することと；を含む方法。
【請求項２８】
シクロデキストリン対溶媒の比は約３０：７０〜約７０：３０である、請求項２７に記載の方法。
【請求項２９】
前記シクロデキストリン対溶媒の比は約４５：５５〜約６５：３５である、請求項２７に記載の方法。
【請求項３０】
前記シクロデキストリン対溶媒の比は約５０：５０〜約６０：４０である、請求項２７に記載の方法。
【請求項３１】
前記硬化剤は、スクロース、ガムアカシア、デンプン、ソルビトールのうちの少なくとも１つを含む、請求項２７に記載の方法。
【請求項３２】
前記硬化剤は、前記シクロデキストリンの約５〜約３５重量％の量で存在する、請求項２７に記載の方法。
【請求項３３】
前記第１の混合物を形成する前に乳化剤を前記シクロデキストリンと混合することをさらに含む、請求項２７に記載の方法。
【請求項３４】
前記乳化剤は、キサンタンガム、ペクチン、ガムアカシア、トラガカント、グアー、カラギーナン、イナゴマメ、及びこれらの組合せのうちの少なくとも１つを含む、請求項３３に記載の方法。
【請求項３５】
乾燥したシクロデキストリン包接複合体を摩砕することをさらに含む、請求項２７に記載の方法。
【請求項３６】
前記大粒子シクロデキストリン複合体はサイズが約５００ミクロンを超える、請求項２７に記載の方法。
【請求項３７】
前記大粒子シクロデキストリン複合体はサイズが約８００ミクロンを超える、請求項２７に記載の方法。
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
結腸直腸癌、類腱腫、膀胱癌、胃癌、及び乳癌から選択される癌の治療又は予防のための医薬製造のためのマクロライド抗生物質の使用において、マクロライド抗生物質が、
タイロシン、薬学的に許容できるその塩、及びその誘導体；
エリスロマイシン、薬学的に許容できるその塩、及びその誘導体；
オレアンドマイシン、薬学的に許容できるその塩、その誘導体；及び
スピラマイシン、薬学的に許容できるその塩、及びその誘導体の、１又はそれ以上であることを特徴とする、マクロライド抗生物質の使用。
【請求項２】
結腸直腸癌、類腱腫、膀胱癌、胃癌、及び乳癌から選択される癌の治療又は予防のための薬学的組成物であって、活性成分として治療上有効量の：
タイロシン、薬学的に許容できるその塩、及びその誘導体；
エリスロマイシン、薬学的に許容できるその塩、及びその誘導体；
オレアンドマイシン、薬学的に許容できるその塩、その誘導体；及び
スピラマイシン、薬学的に許容できるその塩、及びその誘導体、の１又はそれ以上のマクロライド抗生物質と、薬学的に許容し得るキャリアとを含むことを特徴とする、薬学的組成物。
【請求項３】
突然変異ＡＰＣ遺伝子を発現する癌の治療又は予防のために医薬製造するためのマクロライド抗生物質の使用において、マクロライド抗生物質が、
タイロシン、薬学的に許容できるその塩、及びその誘導体；
エリスロマイシン、薬学的に許容できるその塩、及びその誘導体；
オレアンドマイシン、薬学的に許容できるその塩、その誘導体；及び
スピラマイシン、薬学的に許容できるその塩、及びその誘導体、の１又はそれ以上であることを特徴とするマクロライド抗生物質の使用。
【請求項４】
前記癌が、結腸直腸癌、類腱腫、膀胱癌、胃癌、及び乳癌から選択されることを特徴とする、請求項３の使用。
【請求項５】
前記マクロライド抗生物質が、タイロシン又はタイロシン酒石酸塩であることを特徴とする、請求項１又は３に記載の使用。
【請求項６】
前記マクロライド抗生物質が、タイロシン又はタイロシン酒石酸塩であることを特徴とする、請求項２に記載の薬学的組成物。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
ヒト患者における気分障害の治療のための医薬の製造における治療的有効量のカンナビゲロール、カンナビゲロバリン（cannabigerovarin）またはその医薬的に許容される塩の使用。
【請求項２】
治療される気分障害が１以上の病的うつ病または臨床的うつ病；単極性気分障害；双極性気分障害；シンドローム性うつ病；パニック障害および不安である、請求項１記載の使用。
【請求項３】
治療される気分障害がうつ病である、請求項２記載の使用。
【請求項４】
カンナビゲロール、カンナビゲロバリンまたはその医薬的に許容される塩が大麻植物からの抽出物である、請求項１〜３のいずれか記載の使用。
【請求項５】
大麻植物からの抽出物がカンナビゲロール、カンナビゲロバリンまたはその医薬的に許容される塩と共抽出される全天然カンナビノイドおよび他の非カンナビノイド成分を含む、請求項４記載の使用。
【請求項６】
大麻植物からの抽出物がカンナビゲロールリッチである、請求項４記載の使用。
【請求項７】
大麻植物抽出物が総カンナビノイド含有量の80%(w/w)以上のカンナビゲロールを含む、請求項４記載の使用。
【請求項８】
カンナビゲロール、カンナビゲロバリンまたはその医薬的に許容される塩が単離されているか、または実質的に純粋である、請求項１〜３のいずれか記載の使用。
【請求項９】
医薬が経鼻、舌下、口腔、局所、経口、直腸、静脈内、腹腔内、筋肉内、皮下、経皮、膣内、尿道内送達、噴霧器による送達、吸入蒸気としての送達または膀胱への導入による送達のために製剤化される、請求項１〜８のいずれか記載の使用。
【請求項１０】
医薬の単位投与形態が0.1〜1000 mgの量のカンナビゲロール、カンナビゲロバリンまたはその医薬的に許容される塩を含む、請求項１〜９のいずれか記載の使用。
【請求項１１】
医薬がさらに１以上のさらなるカンナビノイドを含む、請求項１〜１０のいずれか記載の使用。
【請求項１２】
さらなるカンナビノイドがカンナビジオール（CBD）である、請求項１１記載の使用。
【請求項１３】
さらなるカンナビノイドがカンナビクロメン（CBC）である、請求項１１記載の使用。
【請求項１４】
カンナビゲロール、カンナビゲロバリンまたはその医薬的に許容される塩がカンナビゲロール（CBG）である、請求項１〜１３のいずれか記載の使用。
【請求項１５】
カンナビゲロール、カンナビゲロバリンまたはその医薬的に許容される塩がカンナビゲロールプロピル類似体（CBGV）である、請求項１〜１４のいずれか記載の使用。
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
式(II)
【化１】
2009539910.tif 000001
(式中、
Arは置換されていない、または少なくとも1個のハロ基で置換されているフェニルであり、
R1は1から3個の炭素原子を含むアルキルであり、及び
R3は-CH2-Qであり、Qは1から3個の炭素原子を含むアルコキシである)
を有する化合物またはそれらの薬学的に許容可能な塩の、難治性てんかん病態、特に難治性てんかん重積症または/および難治性てんかん重積症に関連する病態の予防、緩和または/および治療用医薬組成物の調製のための使用。
【請求項２】
難治性てんかん病態が、少なくとも約10分間続く、てんかん重積症、てんかん発作、反復発作または/および群発発作である、請求項1に記載の使用。
【請求項３】
難治性てんかん病態が、てんかん重積症または/およびてんかんの治療に用いられる薬剤、より具体的には、好ましくはジアゼパム、ロラゼパム、ミダゾラム、フェノバルビタール、カルバマゼピン、フェニトイン、フォスフェニトイン、オクスカルバゼピン、ラモトリジン、ガバペンチン、プレガバリン、バルプロ酸、ペントバルビタール、チオペンタール、プロパフォールおよびそれらの薬学的に許容可能な塩から選択される、ベンゾジアゼピン、バルビツレートおよび請求項1に記載の化合物とは異なる抗てんかん薬から選択される少なくとも1種の薬剤に対して、少なくとも部分的に難治性または実質的に難治性である、請求項1または2に記載の使用。
【請求項４】
てんかん病態が、焦点発作または/および全身発作を含み、および/またはてんかん病態が、強直間代性、強直性、間代性もしくはミオクロニー性の発作などのけいれん性発作または/および欠神性もしくは弛緩性の発作などの非けいれん性発作を含み、および/またはてんかん病態または関連する病態が、急性反復発作または/および群発発作を含む、請求項1から3のいずれかに記載の使用。
【請求項５】
難治性てんかん重積症に関連する病態がてんかん発生である、請求項1から4のいずれかに記載の使用。
【請求項６】
R1がメチルである、請求項1から5のいずれかに記載の使用。
【請求項７】
Arが、少なくとも1個のフルオロ基により置換されているフェニルである、請求項1から5のいずれか一項に記載の使用。
【請求項８】
化合物が、
(R)-2-アセトアミド-N-ベンジル-3-メトキシ-プロピオンアミド、
(R)-2-アセトアミド-N-ベンジル-3-エトキシ-プロピオンアミド、
O-メチル-N-アセチル-D-セリン-m-フルオロベンジル-アミドまたは
O-メチル-N-アセチル-D-セリン-p-フルオロベンジル-アミド
である、請求項1から5のいずれか一項に記載の使用。
【請求項９】
化合物が、R立体配置にある、請求項1から8のいずれか一項に記載の使用。
【請求項１０】
化合物が実質的にエナンチオピュアな(R)-2-アセトアミド-N-ベンジル-3-メトキシ-プロピオンアミドである、請求項9に記載の使用。
【請求項１１】
(a)請求項1および6から10のいずれかに規定された少なくとも1種の化合物、好ましくは(R)-2-アセトアミド-N-ベンジル-3-メトキシ-プロピオンアミドと、
(b)少なくとも1種のベンゾジアゼピン、好ましくはジアゼパム、ロラゼパムまたは/およびミダゾラムと、
を含む医薬組成物。
【請求項１２】
てんかん障害の予防、緩和または/および治療用の、請求項11に記載の医薬組成物。
【請求項１３】
てんかん発生の予防、緩和または/および治療用医薬組成物の調製のための、請求項1および6から10のいずれかに規定された少なくとも1種の化合物、特に(R)-2-アセトアミド-N-ベンジル-3-メトキシ-プロピオンアミドの使用。
【請求項１４】
てんかん発生が、難治性てんかん重積症などのてんかん重積症に関連する、請求項13に記載の使用。
【請求項１５】
てんかん発生が、慢性てんかんなどのてんかんの発症、あるいは少なくとも約10分間続く、てんかん重積症、てんかん発作、反復発作または/および群発発作から選択されるてんかん病態を含む、請求項13または14に記載の使用。
【請求項１６】
てんかん病態が、焦点発作または/および全身発作を含み、および/またはてんかん病態が、強直間代性、強直性、間代性またはミオクロニー性の発作などのけいれん発作または/および欠神性または弛緩性の発作などの非けいれん性発作を含み、および/またはてんかん病態または関連する病態が、急性の反復発作または/および群発発作を含む、請求項15に記載の使用。
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
グリセロールアルキルエーテルを粗生成物の０．００１〜１ｇ／ｋｇの量で含む粗グリセロールベース生成物。
【請求項２】
前記グリセロールアルキルエーテルが、グリセロールモノ−、ジ−および／またはトリエーテルであり、そのアルキル基が、メチル、エチル、プロピル、ブチル、ペンチル、ヘキシル、ヘプチルおよびオクチル基から独立して選択される、請求項１に記載の粗生成物。
【請求項３】
前記グリセロールエーテルがグリセロールモノメチルおよび／またはモノエチルエーテルである、請求項２に記載の粗生成物。
【請求項４】
以下の特徴：
・前記グリセロールアルキルエーテルがメチルエーテルである；
・メタノールを粗生成物の０．１〜２０ｇ／ｋｇの量で含む；
・エタノール、プロパノール、ブタノール、ペンタノール、ヘキサノール、ヘプタノール、オクタノール、エチレングリコールおよびプロピレングリコールを、粗生成物の０．０１〜２ｇ／ｋｇの総量で含む；
・前記グリセロールアルキルエーテルがエチルエーテルである；
・エタノールを粗生成物の０．１〜２０ｇ／ｋｇの量で含む；
・メタノール、プロパノール、ブタノール、ペンタノール、ヘキサノール、ヘプタノール、オクタノール、エチレングリコールおよびプロピレングリコールを、粗生成物の０．０１〜２ｇ／ｋｇの総量で含む；
・前記グリセロールアルキルエーテルがプロピルエーテルである；
・プロパノールを粗生成物の０．１〜２０ｇ／ｋｇの量で含む；
・メタノール、エタノール、ブタノール、ペンタノール、ヘキサノール、ヘプタノール、オクタノール、エチレングリコールおよびプロピレングリコールを、粗生成物の０．０１〜２ｇ／ｋｇの総量で含む；
の１つ以上を示す、請求項１から３のいずれか一項に記載の粗生成物。
【請求項５】
前記粗生成物が、任意により減圧下で、蒸発濃縮、蒸発結晶化、蒸留、分留、ストリッピングまたは液体−液体抽出の少なくとも１種の処理に供され、グリセロールアルキルエーテルを精製生成物の５ｇ／ｋｇ未満の量で、ならびにメタノール、エタノール、プロパノール、ブタノール、ペンタノール、ヘキサノール、ヘプタノール、オクタノール、エチレングリコールおよびプロピレングリコールを精製生成物の１ｇ／ｋｇ未満の総量で含む、精製グリセロールベース生成物が得られる、請求項１から４のいずれか一項に記載の粗グリセロールベース生成物の精製方法。
【請求項６】
グリセロールアルキルエーテルの含有量を低減して、塩素化剤と反応される精製生成物が得られるよう、請求項１から４のいずれか一項に記載の粗グリセロールベース生成物が、任意により減圧下で、蒸発濃縮、蒸発結晶化、蒸留、分留、ストリッピングまたは液体−液体抽出の少なくとも１種の処理に供される、グリセロールから開始されるジクロロプロパノールの製造方法。
【請求項７】
前記アルキルエーテルが、メチルエーテルまたはエチルエーテルである、請求項６に記載の方法。
【請求項８】
生成物の少なくとも５００ｇ／ｋｇのグリセロール、及び生成物の０．００１から５ｇ／ｋｇの量のグリセロールアルキルエーテルを含むグリセロールベース生成物を、塩素化剤と反応させる、ジクロロプロパノールの製造方法。
【請求項９】
前記グリセロールアルキルエーテルが、グリセロールモノ−、ジ−、及び／又はトリ−アルキルエーテルであり、そのアルキル基がメチル、エチル、プロピル、ブチル、ペンチル、ヘキシル、へプチル、及びオクチル基から独立に選択される、請求項８に記載の方法。
【請求項１０】
前記グリセロールエーテルがグリセロールモノメチル及び／又はモノエチルエーテルである、請求項９に記載の方法。
【請求項１１】
前記グリセロールエーテルがグリセロールモノメチルエーテルである、請求項１０に記載の方法。
【請求項１２】
前記グリセロールベース生成物が、以下の特徴：
−  グリセロールアルキルエーテルがメチルエーテルである；
−  メタノールを、生成物の０．１〜２０ｇ／ｋｇの量で含む；
−  エタノール、プロパノール、ブタノール、ペンタノール、ヘキサノール、ヘプタノール、オクタノール、エチレングリコールおよびプロピレングリコールを、生成物の０．０１〜２ｇ／ｋｇの総量で含む；
−  グリセロールアルキルエーテルがエチルエーテルである；
−  エタノールを、生成物の０．１〜２０ｇ／ｋｇの量で含む；
−  メタノール、プロパノール、ブタノール、ペンタノール、ヘキサノール、ヘプタノール、オクタノール、エチレングリコールおよびプロピレングリコールを、生成物の０．０１〜２ｇ／ｋｇの総量で含む；
−  グリセロールアルキルエーテルがプロピルエーテルである；
−  プロパノールを、生成物の０．１〜２０ｇ／ｋｇの量で含む；
−  メタノール、エタノール、ブタノール、ペンタノール、ヘキサノール、ヘプタノール、オクタノール、エチレングリコールおよびプロピレングリコールを、生成物の０．０１〜２ｇ／ｋｇの総量で含む
の1つ以上を示す、請求項８に記載の方法。
【請求項１３】
前記グリセロールベース生成物が、粗生成物の０．００１から１００ｇ／ｋｇの量でグリセロールアルキルエーテルを含む粗グリセロールベース生成物を、蒸発濃縮、蒸発結晶化、蒸留、分留、ストリッピングまたは液体−液体抽出の少なくとも1つの処理に供することによって得られている、請求項８に記載の方法。
【請求項１４】
前記グリセロールベース生成物が、以下の特徴：
・グリセロールメチルエーテルを生成物の５ｇ／ｋｇ未満の量で含む；
・グリセロールエチルエーテルを、生成物の５ｇ／ｋｇ未満の量で含む；
・グリセロールプロピルエーテルを、生成物の５ｇ／ｋｇ未満の量で含む；
・メタノール、エタノール、プロパノール、ブタノール、エチレングリコールおよびプロピレングリコールを、生成物の１ｇ／ｋｇ未満の総量で含む；
の１つ以上を示す、請求項１３に記載の方法。
【請求項１５】
請求項６または１４のいずれか一項に記載の方法、これに続くジクロロプロパノールの脱塩化水素処理プロセスを含むエピクロロヒドリンの製造方法。
【請求項１６】
請求項１５に記載のエピクロロヒドリンの製造方法、これに続く、エピクロロヒドリンが少なくとも２個の活性水素原子を含有する化合物との反応に供されるプロセスを含むエポキシ樹脂の製造方法。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
Ｐ２Ｙ１４受容体の発現又は生物学的活性を抑制する薬剤を含有してなる、幹細胞又はその前駆細胞の生存、生育又は増殖を増大させるための医薬組成物。
【請求項２】
幹細胞又はその前駆細胞が、間葉、皮膚、神経、腸、肝臓、心臓、前立腺、乳腺、腎臓、膵臓、網膜及び肺の幹細胞又はその前駆細胞よりなる群から選ばれる、請求項１に記載の医薬組成物。
【請求項３】
幹細胞又はその前駆細胞が、造血幹細胞又はその前駆細胞である、請求項１又は２に記載の医薬組成物。
【請求項４】
幹細胞又はその前駆細胞の生存、生育又は増殖の増大が、幹細胞又はその前駆細胞の生着を増大させるためのものである請求項１から３のいずれかに記載の医薬組成物。
【請求項５】
幹細胞又はその前駆細胞の増殖が、幹細胞の自己再生によるものである、請求項１から４のいずれかに記載の医薬組成物。
【請求項６】
幹細胞又はその前駆細胞が、幹細胞又はその前駆細胞への傷害を受けているか又は骨髄に異常細胞を有している幹細胞又はその前駆細胞である、請求項１から５のいずれかに記載の医薬組成物。
【請求項７】
傷害が化学療法剤の投与である、請求項６に記載の医薬組成物。
【請求項８】
Ｐ２Ｙ１４受容体の発現又は生物学的活性を抑制する薬剤が、Ｐ２Ｙ１４受容体ポリヌクレオチド又はポリペプチドの発現を減少させる抑制性核酸分子である、請求項１から７のいずれかに記載の医薬組成物。
【請求項９】
抑制性核酸分子が、アンチセンス分子、低分子干渉ＲＮＡ（ｓｉＲＮＡ）、又は低分子ヘアピン型ＲＮＡ（ｓｈＲＮＡ）である、請求項８に記載の医薬組成物。
【請求項１０】
Ｐ２Ｙ１４受容体の生物学的活性を抑制する薬剤が、Ｐ２Ｙ１４受容体の活性化を抑制するものである、請求項１から７のいずれかに記載の医薬組成物。
【請求項１１】
Ｐ２Ｙ１４受容体の生物学的活性が、カルシウム流入の測定によって、リガンド結合の測定によって、又は造血幹細胞の機能の測定によって観察されるものである、請求項１から７のいずれかに記載の医薬組成物。
【請求項１２】
Ｐ２Ｙ１４受容体の発現又は生物学的活性を抑制する薬剤が、リガンドのＰ２Ｙ１４受容体との相互作用を特異的に遮断するものである、請求項１から１１のいずれかに記載の医薬組成物。
【請求項１３】
Ｐ２Ｙ１４受容体の発現又は生物学的活性を抑制する薬剤が、Ｐ２Ｙ１４受容体と特異的に結合する抗体である、請求項１から１２のいずれかに記載の医薬組成物。
【請求項１４】
医薬組成物が、骨髄腫、リンパ腫又は白血病の治療のためのものである、請求項１から１３のいずれかに記載の医薬組成物。
【請求項１５】
医薬組成物が、骨髄又は造血幹細胞の移植を必要とする患者の治療のためである、請求項１から１４のいずれかに記載の医薬組成物。
【請求項１６】
幹細胞及び／又はその前駆細胞を含有している単離された細胞集団を、生体外でＰ２Ｙ１４受容体の発現又は生物学的活性を抑制する薬剤と接触させることを含有してなる、幹細胞及び／又はその前駆細胞の生存、生育又は増殖を増大させる方法。
【請求項１７】
幹細胞又はその前駆細胞が、傷害を受けているものである、請求項１６に記載の方法。
【請求項１８】
単離された細胞集団群が、骨髄から得られる、請求項１６又は１７に記載の方法。
【請求項１９】
骨髄から得られる細胞が、造血幹細胞を含有している、請求項１８に記載の方法。